(57)【要約】【課題】引き出しなどの収納箱の仕切り部材において、無駄が生じ難く、任意の幅や奥行きの壁面間を仕切ることを可能にする。【解決手段】切断による長さ調整が可能な仕切り板２１〜２７を用いるとともに、仕切り板２１の端部に被せられ、該仕切り板２１の厚み方向に弾発力を発揮して、該仕切り板２１に摩擦係合する摩擦係合部材３１，３２を用い、長さ調整（延長）を行う。また、摩擦係合部材３３は、端材の仕切り板２６，２７同士の継ぎ足しに用いる。さらに、Ｔ字分岐部材４０および十字分岐部材５０を用いる。こうして、引き出しなどの収納箱１に用いられる仕切り部材において、無駄が生じ難く、任意の幅や奥行きの壁面１０１間を仕切ることができる。【選択図】図１
2015117055.tif 000002
【特許請求の範囲】
【請求項１】
帯状に形成されて、切断による長さ調整が可能な１または複数枚の仕切り板と、
少なくとも１枚の前記仕切り板の端部に被せられ、該仕切り板の厚み方向に弾発力を発揮して、該仕切り板に摩擦係合し、該仕切り板の長さ調整または該仕切り板同士の連結のために用いられる摩擦係合部材とを含むことを特徴とする収納箱の仕切り部材。
【請求項２】
前記摩擦係合部材は、前記仕切り板の長手方向とは直交する断面が逆Ｕ字状で、屈曲位置から先端側になるに連れて相互に近接するように形成されることで、前記仕切り板への摩擦係合力を発揮することを特徴とする請求項１記載の収納箱の仕切り部材。
【請求項３】
前記摩擦係合部材は、前記逆Ｕ字の内側面に、前記仕切り板の長手方向に連続する第１のラックが形成され、
前記仕切り板にも、前記第１のラックに対応する第２のラックが形成されていることを特徴とする請求項１または２記載の収納箱の仕切り部材。
【請求項４】
前記摩擦係合部材は、前記逆Ｕ字の一方の片の内側に前記第１のラックが形成され、他方の片には、前記第１のラックに対応する位置に、開口が形成されていることを特徴とする請求項３記載の収納箱の仕切り部材。
【請求項５】
前記仕切り板の少なくとも一方の面には、長手方向に延びる溝が形成されており、
前記摩擦係合部材には、前記逆Ｕ字の内側面に、前記溝に嵌り込む凸条が形成されていることを特徴とする請求項２〜４の何れか１項に記載の収納箱の仕切り部材。
【請求項６】
前記摩擦係合部材において、前記仕切り板の長手方向に対する端面の少なくとも一方には、粗面処理が施されている、或いは密着性の高いラバーが貼り付けられていることを特徴とする請求項１〜５の何れか１項に記載の収納箱の仕切り部材。
【請求項７】
前記仕切り板には、長手方向の予め定める間隔毎に、幅方向に延びる溝が形成されていることを特徴とする請求項１〜６の何れか１項に記載の収納箱の仕切り部材。
【請求項８】
前記仕切り板の厚み方向に見た形状がＴ字状の分岐部材をさらに備え、
該分岐部材は、前記仕切り板の途中に嵌め込まれて前記途中から別の仕切り板を分岐支持することを特徴とする請求項１〜７の何れか１項に記載の収納箱の仕切り部材。
【請求項９】
前記分岐部材は、前記Ｔ字の分岐部以外の横方向に延びる部分における断面が逆Ｊ字状に形成され、前記Ｔ字の分岐部以外の縦方向に延びる部分における断面が逆Ｕ字状に形成され、前記逆Ｊ字の長片側の内側面に、前記仕切り板の長手方向に連続して第３のラックが形成され、
前記仕切り板にも、前記第３のラックに対応する第２のラックが形成されていることを特徴とする請求項８記載の収納箱の仕切り部材。
【請求項１０】
前記仕切り板の厚み方向に見た形状が十字状の分岐部材をさらに備え、
該分岐部材は、前記仕切り板の途中に嵌め込まれて前記途中から別の仕切り板を分岐支持することを特徴とする請求項１〜９の何れか１項に記載の収納箱の仕切り部材。
【請求項１１】
収納箱に収納された状態で、前記分岐部材は、収納箱の底面に達するまで、仕切り板の分岐部分を覆っており、その覆っている部分が、一方の仕切り板から他方の仕切り板にかけて円弧状の曲線を描いて形成され、前記覆っている部分の曲線は、下方側の曲率が上方側に比べて大きく形成されていることを特徴とする請求項８〜１０の何れか１項に記載の収納箱の仕切り部材。
【請求項１２】
前記請求項１〜１１の何れか１項に記載の仕切り部材を用いて、仕切り空間が形成されることを特徴とする収納箱。
【請求項１３】
引き出しであることを特徴とする請求項１２記載の収納箱。
【発明の詳細な説明】
【技術分野】
【０００１】
本発明は、机の引き出しなどの収納箱に用いられる仕切り部材およびそれを備える収納箱に関する。
【背景技術】
【０００２】
机の引き出しなどの収納箱に用いられ、収納する物品の形状などに対応した仕切りを行う仕切り部材が広く用いられている。その仕切り部材の典型的な従来技術では、所定間隔でスリットなどの切れ目が形成された仕切り板を用い、その仕切り板をスリットの位置で所望の長さに切断して、縦横に組合わせ（嵌合わせ）ることで、任意の大きさの仕切り空間が形成されている。
【０００３】
特許文献１では、上記のような仕切り板に加えて、継手体を用いて、枡目状の仕切り部材を実現している。一方、特許文献２では、前記切れ目による制限を無くし、仕切り板の取付き位置を細かく調整可能にしている。特許文献２は、引き出しの側壁や仕切り板に取付くＴ字やＬ字状の連結部材を用い、仕切り板同士をＴ字やＬ字に連結したり、仕切り板を前記側壁にＴ字に取付けることで、規定の長さの仕切り板や前記連結部材などの同一形状の部材を使用して、引き出しの内部を適宜仕切れるようにした引き出し仕切り構造である。
【先行技術文献】
【特許文献】
【０００４】
【特許文献１】特開平１１−２０８７６２号公報
【特許文献２】特許第３５８４０２０号公報
【発明の概要】
【発明が解決しようとする課題】
【０００５】
特許文献２は、仕切り板の取付き位置が、フリーストップで前記のスリットなどに比べて細かく調整できるものの、規定の長さの仕切り板を使用するので、引き出しなどの幅や奥行きに合わせて仕切り板を組合わせなくてはならず、自由に切断して長さを決められる特許文献１に比べて、その点では利便性に劣る。
【０００６】
一方、特許文献１のように、切断して使用される仕切り板は、一旦切断すると、より短い箇所にしか転用できず、仕切り板の組み替えによって無駄が生じる可能性がある。また、継手体によって仕切り板の長さが実質延長されるとしても、その取付き位置を細かく調整することは難しい。
【０００７】
本発明の目的は、切断によって任意の長さに調整可能な仕切り板を使用しても、無駄が生じ難い収納箱の仕切り部材およびそれを備える収納箱を提供することである。
【課題を解決するための手段】
【０００８】
本発明の収納箱の仕切り部材は、帯状に形成されて、切断による長さ調整が可能な１または複数枚の仕切り板と、少なくとも１枚の前記仕切り板の端部に被せられ、該仕切り板の厚み方向に弾発力を発揮して、該仕切り板に摩擦係合し、該仕切り板の長さ調整または該仕切り板同士の連結のために用いられる摩擦係合部材とを含むことを特徴とする。
【０００９】
上記の構成によれば、机の引き出しなどの収納箱に用いられ、収納する物品の形状などに合わせた仕切り空間を形成する仕切り部材において、仕切り板は、帯状に形成されて、切断による長さ調整可能であり、そのような仕切り板を１または複数枚と、その仕切り板の端部に被せられる摩擦係合部材の少なくとも１枚とを用いて、前記仕切り空間を形成する。前記摩擦係合部材は、前記仕切り板の厚み方向に弾発力を発揮して、該仕切り板に摩擦係合する。
【００１０】
したがって、前記摩擦係合部材が仕切り板の一端または両端に被せられると、仕切り板の長さ調整を行うことができ、またその摩擦係合部材を利用して仕切り板同士を連結することもできる。これによって、単独の仕切り板では届かない幅や奥行きの壁面間を仕切ることができ、また一旦切断した仕切り板も継ぎ足して使用することができ、切断による長さ調整可能な仕切り板を使用しても、無駄を生じ難くすることができる。
【００１１】
また、本発明の収納箱の仕切り部材では、前記摩擦係合部材は、前記仕切り板の長手方向とは直交する断面が逆Ｕ字状で、屈曲位置から先端側になるに連れて相互に近接するように形成されることで、前記仕切り板への摩擦係合力を発揮することを特徴とする。
【００１２】
上記の構成によれば、断面が逆Ｕ字状の摩擦係合部材が、挟み込む力で、簡単に摩擦係合力を発揮することができる。
【００１３】
さらにまた、本発明の収納箱の仕切り部材では、前記摩擦係合部材は、前記逆Ｕ字の内側面に、前記仕切り板の長手方向に連続する第１のラックが形成され、前記仕切り板にも、前記第１のラックに対応する第２のラックが形成されていることを特徴とする。
【００１４】
上記の構成によれば、摩擦係合部材の摩擦係合力に加えて、第１および第２のラックの噛み合いによって、摩擦係合部材と仕切り板との長手方向に対する相対的なずれを、より確実に抑えることができる。
【００１５】
また、本発明の収納箱の仕切り部材では、前記摩擦係合部材は、前記逆Ｕ字の一方の片の内側に前記第１のラックが形成され、他方の片には、前記第１のラックに対応する位置に、開口が形成されていることを特徴とする。
【００１６】
上記の構成によれば、前記摩擦係合部材を成形によって作成するにあたって、第１のラックを形成する金型は、開口の部分から抜くことができ、容易に成形することができる。
【００１７】
さらにまた、本発明の収納箱の仕切り部材では、前記仕切り板の少なくとも一方の面には、長手方向に延びる溝が形成されており、前記摩擦係合部材には、前記逆Ｕ字の内側面に、前記溝に嵌り込む凸条が形成されていることを特徴とする。
【００１８】
上記の構成によれば、凸条と溝とによって、仕切り板上を摩擦係合部材が案内され、安定して（しゃくり無く）摺動を行わせることができる。
【００１９】
また、本発明の収納箱の仕切り部材では、前記摩擦係合部材において、前記仕切り板の長手方向に対する端面の少なくとも一方には、粗面処理が施されている、或いは密着性の高いラバーが貼り付けられていることを特徴とする。
【００２０】
上記の構成によれば、摩擦係合部材の端面に、凹凸を形成したり、短い起毛を形成したりして、粗面処理を施しておくことで、或いは密着性の高いラバーが貼り付けられていることで、前記引き出しの壁面などに対して、滑り止めの機能を発揮させることができる。
【００２１】
さらにまた、本発明の収納箱の仕切り部材では、前記仕切り板には、長手方向の予め定める間隔毎に、幅方向に延びる溝が形成されていることを特徴とする。
【００２２】
上記の構成によれば、前記溝の部分が薄肉の脆弱部となり、使用者はこの溝の部分で、容易に仕切り板を折り曲げ、切断することができる。
【００２３】
したがって、前記予め定める間隔毎の溝で切断しても、上記のように任意の長さに調整可能な摩擦係合部材を使用して、壁面間を隙間無く仕切ることができる。
【００２４】
また、本発明の収納箱の仕切り部材では、前記仕切り板の厚み方向に見た形状がＴ字状の分岐部材をさらに備え、該分岐部材は、前記仕切り板の途中に嵌め込まれて前記途中から別の仕切り板を分岐支持することを特徴とする。
【００２５】
上記の構成によれば、Ｔ字状の分岐部材を用いることで、収納箱内で仕切り板を縦横に組合わせられるようになり、所望とする仕切り空間を形成し易くなる。
【００２６】
さらにまた、本発明の収納箱の仕切り部材では、前記分岐部材は、前記Ｔ字の分岐部以外の横方向に延びる部分における断面が逆Ｊ字状に形成され、前記Ｔ字の分岐部以外の縦方向に延びる部分における断面が逆Ｕ字状に形成され、前記逆Ｊ字の長片側の内側面に、前記仕切り板の長手方向に連続して第３のラックが形成され、前記仕切り板にも、前記第３のラックに対応する第２のラックが形成されていることを特徴とする。
【００２７】
上記の構成によれば、第３および第２のラックの噛み合いによって、前記Ｔ字の横方向に延びる仕切り板に対して、Ｔ字の縦方向に延びる前記別の仕切り板のずれを、より確実に抑えることができる。
【００２８】
また、本発明の収納箱の仕切り部材では、前記仕切り板の厚み方向に見た形状が十字状の分岐部材をさらに備え、該分岐部材は、前記仕切り板の途中に嵌め込まれて前記途中から別の仕切り板を分岐支持することを特徴とする。
【００２９】
上記の構成によれば、十字状の分岐部材を用いることで、収納箱内で仕切り板を縦横に組合わせられるようになり、所望とする仕切り空間を形成し易くなる。
【００３０】
さらにまた、本発明の収納箱の仕切り部材では、収納箱に収納された状態で、前記分岐部材は、収納箱の底面に達するまで、仕切り板の分岐部分を覆っており、その覆っている部分が、一方の仕切り板から他方の仕切り板にかけて円弧状の曲線を描いて形成され、前記覆っている部分の曲線は、下方側の曲率が上方側に比べて大きく形成されていることを特徴とする。
【００３１】
上記の構成によれば、分岐部材における仕切り板の分岐（交差）部分は、Ｒを付けて曲線に形成されており、その分岐（交差）部分の下側、すなわち収納箱の底に近い部分のＲが、上側の部分より緩やかに形成されている。したがって、引き出しに収納されている物品、特にペンなどの長手板状や棒状の文房具を、前記分岐（交差）部分に押し当てると、迫り上がってゆく。
【００３２】
したがって、前記物品の取り出しが容易になる。
【００３３】
また、本発明の収納箱は、前記の仕切り部材を用いて、仕切り空間が形成されることを特徴とする。
【００３４】
上記の構成によれば、無駄が生じ難く、任意の幅や奥行きの壁面間を仕切ることができる収納箱を実現することができる。
【００３５】
さらにまた、本発明の収納箱は、引き出しであることを特徴とする。
【００３６】
上記の構成によれば、無駄が生じ難く、任意の幅や奥行きの壁面間を仕切ることができる引き出しを実現することができる。
【発明の効果】
【００３７】
本発明の収納箱の仕切り部材およびそれを備える収納箱は、以上のように、帯状に形成されて、切断による長さ調整可能な仕切り板を１または複数枚と、その仕切り板の端部に被せられる摩擦係合部材の少なくとも１枚とを用いて、仕切り空間を形成するので、前記摩擦係合部材を仕切り板の一端または両端に被せると仕切り板の長さ調整を行うことができ、またその摩擦係合部材を利用して仕切り板同士を連結することもできる。
【００３８】
それゆえ、単独の仕切り板では届かない幅や奥行きの壁面間を仕切ることができ、また一旦切断した仕切り板も継ぎ足して使用することができ、切断による長さ調整可能な仕切り板を使用しても、無駄を生じ難くすることができる。
【図面の簡単な説明】
【００３９】
【図１】本発明の実施の一形態に係る収納箱の斜視図である。
【図２】図１で示す収納箱における仕切り部材を構成する仕切り板の図である。
【図３】図１で示す収納箱における仕切り部材を構成する摩擦係合部材の図である。
【図４】図１で摩擦係合部材を仕切り板に組み付ける前の収納箱本体の状態を示す斜視図である。
【図５】前記摩擦係合部材を仕切り板に組み付けた状態を示す斜視図である。
【図６】図５のスケルトン図である。
【図７】図１で示す収納箱における仕切り部材を構成するＴ字分岐部材の図である。
【図８】前記Ｔ字分岐部材を仕切り板に組み付ける際の斜視図である。
【図９】図１で示す収納箱における仕切り部材を構成する十字分岐部材の図である。
【図１０】Ｔ字分岐部材および十字分岐部材の両方で支持される仕切り板の組付け前の状態を示す斜視図である。
【図１１】Ｔ字分岐部材および十字分岐部材の両方で支持される仕切り板の組付け前の状態を示す斜視図である。
【図１２】図１から仕切り空間を変更した例を示す斜視図である。
【図１３】図１から仕切り空間を変更した例を示す斜視図である。
【発明を実施するための形態】
【００４０】
図１は、本発明の実施の一形態に係る収納箱１の斜視図である。この収納箱１は、たとえば、アタッシュケースのように図示しない跳ね上げ自在の蓋が備えられて構成され、或いはカメラバッグのように複数段積層されて使用されてもよい。もしくは、この収納箱１は、図示しない把手やガイドレールが備えられて、机などの引き出しとして使用されてもよい。引き出しとして使用される場合には、好ましくは、矢符Ｆ方向に摺動（開閉）される。
【００４１】
図１の例では、前記引き出しなどの収納箱本体１０に、仕切り部材として、７枚の仕切り板２１〜２７（総称するときには以下参照符号２０で示す）と、３つの摩擦係合部材３１〜３３（総称するときには以下参照符号３０で示す）と、５つのＴ字分岐部材４１〜４５（総称するときには以下参照符号４０で示す）と、１つの十字分岐部材５０とが用いられている。しかしながら、収納箱１には、収納箱本体１０に収納すべき物品に応じた所望とする仕切り空間を形成するために、各部材は必要な数だけ用いられればよく、本発明では、少なくとも１枚の仕切り板２０と、少なくとも１つの摩擦係合部材３０とが、仕切り部材を構成する最小限の構成として、収納箱本体１０に前記仕切り空間を形成する。
【００４２】
図２は、前記仕切り板２０の図である。図２では、向かって中央が正面図、上が平面図、下が底面図、右が側面図である。先ず、帯状に形成されるこの仕切り板２０には、長手方向の予め定める間隔毎に、幅方向に延びる溝２０１が形成されている。したがって、前記溝２０１の部分が薄肉の脆弱部となり、使用者はこの溝２０１の部分で、容易に仕切り板を折り曲げ、切断することができる。特に、該仕切り板２０が樹脂成形品から成る場合に、折り曲げて切断し易い。こうして、該仕切り板２０は、切断による長さ調整が可能となっている。なお、図２の例では、溝２０１は、仕切り板２０の片面にのみ形成されているが、深さを浅くして、対向する位置の両面に形成されてもよく、或いは一方の面と他方の面とで交互に形成されてもよい。
【００４３】
また、前記仕切り板２０の少なくとも一方の面（図２では両方の面）には、長手方向に延びる溝２０２およびラック２０３が形成されている。該仕切り板２０が収納箱本体１０に取付けられた（設置された）状態で、上方となる側に前記溝２０２が形成され、下方となる側に前記ラック２０３が形成される。
【００４４】
図３は、前記摩擦係合部材３０の図である。図３では、向かって左上が正面図、左下が底面図、右上が側面図である。この摩擦係合部材３０は、仕切り板２０の長手方向とは直交する断面が逆Ｕ字状で、屈曲部３０１から２つの片３０２，３０３が延び、その片３０２，３０３の先端側になるに連れて相互に近接するように形成されている。これによって、該摩擦係合部材３０は、前記２つの片３０２，３０３が挟み込む（相互に近接しようとする）力で、前記仕切り板２０への摩擦係合力を簡単に発揮することができるようになっている。
【００４５】
また、この摩擦係合部材３０には、一方の片３０３において、前記逆Ｕ字の内側面に、前記仕切り板２０の長手方向に連続して、前記ラック２０３に対応する（噛み合う）ラック３０４が形成されている。これによって、前記２つの片３０２，３０３の摩擦係合力に加えて、ラック３０４，２０３の噛み合いによって、該摩擦係合部材３０と仕切り板２０との長手方向に対する相対的なずれを、より確実に抑えることができる。
【００４６】
さらにまた、前記逆Ｕ字の一方の片３０３の内側にラック３０４が形成され、他方の片３０２には、このラック３０４に対応する位置に、開口３０５が形成されている。したがって、前記摩擦係合部材３０を樹脂などの成形によって作成するにあたって、ラック３０４を形成する金型は、開口３０５の部分から抜くことができ、容易に成形することができるようになっている。
【００４７】
また、摩擦係合部材３０の片３０２，３０３の内側面には、前記仕切り板２０の溝２０２に嵌り込む凸条３０６が形成されている。したがって、凸条３０６と溝２０２とによって、仕切り板２０上を摩擦係合部材３０が案内され、安定して（しゃくり無く）摺動を行わせることができるようになっている。そして、上述のように、仕切り板２０の上方側に溝２０２が形成され、下方側にラック２０３が形成されるので、前記の摺動時に、作業者が摩擦係合部材３０を仕切り板２０の長手方向に摺動させるだけで、ラック３０４，２０３の噛み合いが外れ、かつ凸条３０６と溝２０２との嵌め合いを残して、摩擦係合部材３０を、容易かつ安定して摺動させることができる。
【００４８】
さらにまた、前記摩擦係合部材３０において、前記仕切り板２０の長手方向に対する端面の少なくとも一方（図３の例では両方）には、凹凸を形成したり、短い起毛を形成したりして、粗面処理が施されており、或いは密着性の高いラバーが貼り付けられている（図３の例では起毛）。したがって、引き出しの壁面などの収納箱本体１０の内壁面１０１に対して、滑り止めの機能を発揮させることができる。
【００４９】
本発明では、このように構成される仕切り板２０の少なくとも１枚と、摩擦係合部材３０の少なくとも１つを最小限の構成として用いることで、予め定める間隔毎の溝２０１で切断して長さ調整可能な仕切り部材２０を使用しても、任意の長さに微調整可能な摩擦係合部材３０を使用して、図１の仕切り板２１および摩擦係合部材３１，３２で示すように、収納箱本体１０の内壁面１０１間を隙間無く仕切ることができる。
【００５０】
図４に、前記摩擦係合部材３１，３２を仕切り板２１に組み付ける前の収納箱本体１０の状態を示す。図５に、前記摩擦係合部材３０を仕切り板２０に組み付けた状態の斜視図を示し、図６に、図５のスケルトン図を示す。図４と図１とを比較して、図４のように、単体の仕切り板２１だけでは、収納箱本体１０の内壁面１０１間を区画するのに寸法が足りない場合に、図１のように、該仕切り板２１の両端に、摩擦係合部材３１，３２を嵌め込むだけで、長さ調整（延長）を実現し、前記内壁面１０１間を隙間無く連結できるようになる。特に、前記２つの片３０２，３０３の摩擦係合力とラック３０４，２０３の噛み合いとによって、矢符Ｆ方向のずれに対して強く、引き出しの開閉時の衝撃に対して、これらの摩擦係合部材３１，３２および仕切り板２０のずれを防止することができる。また、摩擦係合部材３０への前記粗面処理やラバーの貼り付けによって、矢符Ｆ方向とは直交する方向のずれや、倒れに対しても強くなっている。
【００５１】
一方、他の仕切り板２２〜２７は、上述の新品の仕切り板２１を切断して形成されている。たとえば、図４を参照して、新品の仕切り板２１から、仕切り板２４，２５を切り出した残りが、仕切り板２７となっている。また、新品の仕切り板２１から、仕切り板２２，２３を切り出した残りが、仕切り板２６となっている。前述の仕切り板２１を縦の仕切りとすると、仕切り板２２，２３は横の仕切りとなり、残余の仕切り板２４〜２７は縦の仕切りとなる。
【００５２】
そして、平行な横の仕切り板２２，２３間に設けられる１本目の仕切り板２４は、そのまま新品の仕切り板２１からの切り出しで形成できるものの、２本目の仕切り板２６，２７は、上述のように、仕切り板２２，２３および２４，２５を切り出した残りが、摩擦係合部材３３によって、継ぎ足されて使用される。
【００５３】
したがって、一旦切断してしまって端材となった仕切り板２６，２７同士を、摩擦係合部材３３によって継ぎ足して使用することができ、切断による長さ調整可能な仕切り板２０を使用しても、無駄を生じ難くすることができる。
【００５４】
図７は、前記Ｔ字分岐部材４０の図である。このＴ字分岐部材４０は、前記仕切り板２０の厚み方向に見た（上方から見た）形状がＴ字状に形成される。図１や図４の例では、Ｔ字分岐部材４１，４２は、仕切り板２１の途中に嵌め込まれて、途中から別の仕切り板２２，２３を、それぞれ分岐支持している。同様に、Ｔ字分岐部材４３，４４；４５は、仕切り板２２；２３の途中に嵌め込まれて、別の仕切り板２４，２６；２７を、それぞれ分岐支持している。
【００５５】
このＴ字分岐部材４０は、Ｔ字の中央の分岐部４０１以外の横方向に延びる部分４０２における断面は逆Ｊ字状に形成され、前記分岐部４０１以外の縦方向に延びる部分４０３における断面は逆Ｕ字状に形成される。さらに、前記逆Ｊ字の長片４０４側の内側面には、前記仕切り板２０のラック２０３に対応して、長手方向に連続して、ラック４０５が形成される。したがって、図１，４の例では、ラック４０５，２０３の噛み合いによって、前記Ｔ字の横方向に延びることになる仕切り板２１；２２；２３に対して、Ｔ字の縦方向に延びることになる別の仕切り板２２，２３；２４，２６；２７のずれを、より確実に抑えることができるようになっている。
【００５６】
また、Ｔ字分岐部材４０の横方向に延びる部分４０２において、前記逆Ｊ字の短片４０６の先端および長片４０４の対向位置における内側面には、前記仕切り板２０の溝２０２に嵌り込む凸条４０７が形成されている。したがって、前記凸条４０７と溝２０２とによって、仕切り板２０上をＴ字分岐部材４０が案内され、安定して（しゃくり無く）摺動を行わせることができるようになっている。同様に、Ｔ字分岐部材４０の縦方向に延びる部分４０３において、逆Ｕ字の対向する片４０８，４０９にも、前記仕切り板２０の溝２０２に嵌り込む凸条４０７が形成されている。
【００５７】
図８は、このＴ字分岐部材４０を仕切り板２０に組み付ける際の斜視図である。この図８で示すように、凸条４０７を溝２０２に嵌め込んでゆくことで、該Ｔ字分岐部材４０を仕切り板２０に組み付けてもよい。たとえば、図１，４におけるＴ字分岐部材４３，４４；４５を、それぞれ仕切り板２２；２３に嵌め込む場合である。一方、短片４０６を長片４０４から引き離すようにして、該Ｔ字分岐部材４０を仕切り板２０の上方から嵌め込むようにしてもよい。たとえば、図１，４におけるＴ字分岐部材４１，４２を、共に仕切り板２１に嵌め込む場合である。
【００５８】
図９は、前記十字分岐部材５０の図である。この十字分岐部材５０は、前記仕切り板２０の厚み方向に見た（上方から見た）形状が十字状に形成される。図１や図４の例では、十字分岐部材５０は、仕切り板２３に嵌め込まれて、その仕切り板２３の途中から別の仕切り板２４，２５を、共に分岐支持している。
【００５９】
十字分岐部材５０は、十字の中央の分岐部５０１から４方に延びる各部分５０２〜５０５の断面が、逆Ｕ字状に形成される。さらに、前記逆Ｕ字の各部分５０２〜５０５における両片５０６，５０７の内側面には、前記仕切り板２０の溝２０２に対応して、凸条５０８が形成される。
【００６０】
図１０および図１１は、Ｔ字分岐部材４３および十字分岐部材５０の両方で支持される仕切り板２４の組付け前の状態を示す斜視図である。このようなＴ字分岐部材４０および十字分岐部材５０を用いることで、図１や図４で示すように、収納箱本体１０内で仕切り板２０を縦横に組合わせられるようになり、所望とする仕切り空間を形成し易くなる。図１２および図１３は、図１から仕切り空間を変更した例である。対応する部分には同一の参照符号を付している。
【００６１】
図１２は、図１における仕切り板２４，２５を壁面１０２側に寄せている。これによって、相対的に、前記仕切り板２４，２５と壁面１０２との間の空間１０３，１０４が狭くなり、仕切り板２５と仕切り板２１との間の空間１０５が広くなっている。また、仕切り板２６，２７を仕切り板２１側に寄せている。これによって、仕切り板２４；２６，２７間の空間１０６が広くなり、仕切り板２１；２６，２７間の空間１０７が狭くなっている。
【００６２】
一方、図１３は、図１２と同様の空間の割り付けで、Ｔ字分岐部材４５に代えて、十字分岐部材５１を用いている。したがって、図１３では、部分５０２に仕切り板は連結されていない。空間内に収納される物品の邪魔にならなければ、このように十字分岐部材５０を、Ｔ字分岐部材４０や摩擦係合部材３０の代わりに用いてもよい。このように、Ｔ字分岐部材４０および十字分岐部材５０は、形成された仕切り空間内に収納される物品の邪魔にならなければ、前記摩擦係合部材３０と同様に、仕切り板２０の連結に用いてもよい。
【００６３】
また、たとえば図１，４，７，１０で示すように、Ｔ字分岐部材４０の長片４０４は、収納箱本体１０の底面１１０に達するまで、仕切り板２０の分岐（交差）部分、すなわち横方向に延びる部分４０２から縦方向に延びる部分４０３を覆っている。そして、その覆っている部分４１０が、円弧状の曲線を描いて形成され、つまりＲを付けて曲線に形成されており、その曲線は、前記底面１１０に近い下方側の曲線Ｒ１の曲率が、上方側の曲線Ｒ２に比べて大きく（緩やかに）形成されている。
【００６４】
したがって、引き出しに収納されている物品、特にペンなどの文房具を、前記分岐（交差）部分に押し当てると、迫り上がってゆくので、前記物品の取り出しが容易になる。このような分岐（交差）部分の曲線での連結および上下での曲率の変化は、十字分岐部材５０に対して実施されてもよい。
【００６５】
以上のような仕切り板２０、摩擦係合部材３０、Ｔ字分岐部材４０および十字分岐部材５０を、仕切り部材として、引き出しなどの収納箱本体１０に用いることで、無駄が生じ難く、任意の幅や奥行きの壁面間を仕切ることができる収納箱１を実現することができる。
【００６６】
上述の例では、Ｔ字分岐部材４０は、仕切り板２０に取付くだけであったが、収納箱本体１０が引き出しなどで、側壁の厚みに仕切り板２０の厚みを合わせておくことで、側壁に取付かせることができる。
【符号の説明】
【００６７】
１    収納箱
１０    収納箱本体
１０１  内壁面
１１０  底面
２０，２１〜２７    仕切り板
２０１  溝
２０２  溝
２０３  ラック（第２のラック）
３０，３１〜３３    摩擦係合部材
３０１  屈曲部
３０２，３０３    片
３０４  ラック（第１のラック）
３０５  開口
３０６  凸条
４０，４１〜４５    Ｔ字分岐部材
４０１  分岐部
４０２，４０３    部分
４０４  長片
４０５  ラック（第３のラック）
４０６  短片
４０７  凸条
４０８，４０９    片
４１０  部分
５０，５１    十字分岐部材
５０１  分岐部
５０２〜５０５    部分
５０６，５０７    片
５０８  凸条
【図１】
2015117055.tif 000003
【図２】
2015117055.tif 000004
【図３】
2015117055.tif 000005
【図４】
2015117055.tif 000006
【図５】
2015117055.tif 000007
【図６】
2015117055.tif 000008
【図７】
2015117055.tif 000009
【図８】
2015117055.tif 000010
【図９】
2015117055.tif 000011
【図１０】
2015117055.tif 000012
【図１１】
2015117055.tif 000013
【図１２】
2015117055.tif 000014
【図１３】
2015117055.tif 000015
【手続補正書】
【提出日】平成26年4月24日(2014.4.24)
【手続補正１】
【補正対象書類名】明細書
【補正対象項目名】０００４
【補正方法】変更
【補正の内容】
【０００４】
【特許文献１】特開平１１−２０８６７２号公報
【特許文献２】特許第３５８４０２０号公報